(57)【要約】【課題】サイマル放送の関係にあるラジオ放送受の信音声とＩＰラジオ放送で受信している受信音声との間のシームレスな切替を行う「ラジオ放送受信装置」を提供する。【解決手段】ラジオ放送からＩＰラジオ放送に出力する音声を切り替える際に、ラジオ放送に対するＩＰラジオ放送の遅延時間を算出し、ラジオ放送から受信したオーディオデータをタイムストレッチして出力することにより、出力するラジオ放送の音声を算出した遅延時間分遅延させた後、出力する音声をＩＰラジオ放送の音声に切り替える。切替直後に出力するＩＰラジオ放送の音声は、音質をラジオ放送の受信音声相当の音質に低下させた音声とし、その後、出力するＩＰラジオ放送の音声の音質を本来の音質に徐々に向上する。【選択図】図１
2016208320.tif 000002
【特許請求の範囲】
【請求項１】
ラジオ放送と、当該ラジオ放送とサイマル放送の関係にある、前記ラジオ放送と同内容の音声を前記ラジオ放送に対する遅延をもって送信する放送である並行放送とを受信可能なラジオ放送受信装置であって、
ラジオ放送を受信し、受信音声を表すオーディオデータを出力するラジオ受信部と、
前記並行放送を受信し、受信音声を表すオーディオデータを出力する並行放送受信部と、
前記並行放送受信部が出力するオーディオデータの音質を調整し出力する音質調整手段と、
前記ラジオ受信部が出力するオーディオデータを、前記ラジオ放送に対する前記並行放送の遅延時間分、遅延して出力する遅延手段と、
スピーカと、
前記遅延手段が出力するオーディオデータと前記音質調整手段が出力するオーディオデータとのうちの一方を選択的に出力対象オーディオデータとして、出力対象オーディオデータの音声を前記スピーカから出力する選択部とを有し、
前記選択部が前記スピーカから出力する出力対象オーディオデータを、前記遅延手段が出力するオーディオデータから、前記音質調整手段が出力するオーディオデータに切り替える際に、前記ラジオ受信部が受信しているラジオ放送の受信音声の音質が、前記並行放送受信部が受信している並行放送の受信音声の音質より低い場合に、前記音質調整手段は、前記選択部が前記スピーカから出力する前記出力対象オーディオデータが前記音質調整手段が出力するオーディオデータに切り替えられた後に、前記音質調整手段が出力するオーディオデータの音質が、前記ラジオ受信部が受信しているラジオ放送の受信音声の音質相当の音質から前記並行放送受信部が受信している並行放送の受信音声の音質まで、徐々に変化するように、前記並行放送受信部が出力するオーディオデータの音質の調整を行うことを特徴とするラジオ放送受信装置。
【請求項２】
請求項１記載のラジオ放送受信装置であって、
前記選択部が前記スピーカから出力する出力対象オーディオデータを、前記音質調整手段が出力するオーディオデータから前記遅延手段が出力するオーディオデータに切り替える際に、前記ラジオ受信部が受信しているラジオ放送の受信音声の音質が、前記並行放送受信部が受信している並行放送の受信音声の音質より低い場合に、前記音質調整手段は、前記選択部が前記スピーカから出力する出力対象オーディオデータが前記音質調整手段が出力するオーディオデータに切り替わる前に、前記音質調整手段が出力するオーディオデータの音質が、前記並行放送受信部が受信している並行放送の受信音声の音質から前記ラジオ受信部が受信しているラジオ放送の受信音声の音質相当の音質まで、徐々に変化するように、前記並行放送受信部が出力するオーディオデータの音質の調整を行うことを特徴とするラジオ放送受信装置。
【請求項３】
請求項１または２記載のラジオ放送受信装置であって、
前記並行放送は、ＩＰラジオ放送であり、
前記並行放送受信部は、ＩＰラジオ放送を受信し、受信音声を表すオーディオデータを出力するＩＰラジオプレイヤであることを特徴とするラジオ放送受信装置。
【請求項４】
請求項１、２または３記載のラジオ放送受信装置であって、
前記ラジオ放送は、デジタルラジオ放送とアナログラジオ放送とのうちの少なくとも一方であることを特徴とするラジオ放送受信装置。
【請求項５】
請求項１、２、３または４記載のラジオ放送受信装置であって、
当該ラジオ放送受信装置は自動車に搭載された車載型のラジオ放送受信装置であることを特徴とするラジオ放送受信装置。
【発明の詳細な説明】
【技術分野】
【０００１】
本発明は、ラジオ放送受信装置において、受信中の放送から、当該放送と同内容の放送を行っている他の放送に、受信対象を切り替える技術に関するものである。
【背景技術】
【０００２】
ラジオ放送受信装置において、受信中の放送から、当該放送と同内容の放送を行っている放送(受信中の放送とサイマル放送の関係にある放送)に、受信対象を切り替える技術としては、ＡＭ/ＦＭ放送と、当該放送とサイマル放送の関係にあるＩＰラジオ放送とを受信するラジオ放送受信装置において、ＡＭ/ＦＭ放送で受信した音声と、ＩＰラジオ放送で受信した音声との間で、出力する音声を切り替える技術が知られている（たとえば、特許文献１）。
【０００３】
ここで、この技術では、ＡＭ/ＦＭ放送で受信した時報に基づいて計時した放送音声の再生時刻と、ＩＰラジオ放送で受信した放送音声の再生時刻を表すタイムスタンプとより、ＡＭ/ＦＭ放送で受信している音声とＩＰラジオ放送で受信している音声との間の遅延時間を算出し、算出した時間分、より再生時刻が進んでいる音声を遅延させた上で、出力する音声の切替を行うことにより、出力する音声のシームレスな切替を行っている。
【先行技術文献】
【特許文献】
【０００４】
【特許文献１】特開２０１１-１４９９４号公報
【発明の概要】
【発明が解決しようとする課題】
【０００５】
上述したＡＭ/ＦＭ放送で受信した音声と、当該放送とサイマル放送の関係にあるＩＰラジオ放送で受信した音声との間で、出力する音声を切り替える場合、切り替える音声間に音質の差が大きいと、聴感上の違和感が発生し、音質に関して充分にシームレスな音声の切替が行えなくなる。
【０００６】
そこで、本発明は、受信中の放送から、当該放送と同内容の放送を行っている他の放送との間で、出力する音声を切り替えるラジオ放送受信装置において、音質に関するシームレスな切替を実現することを課題とする。
【課題を解決するための手段】
【０００７】
前記課題達成のために、本発明は、ラジオ放送と、当該ラジオ放送とサイマル放送の関係にある、前記ラジオ放送と同内容の音声を前記ラジオ放送に対する遅延をもって送信する放送である並行放送とを受信可能なラジオ放送受信装置に、ラジオ放送を受信し、受信音声を表すオーディオデータを出力するラジオ受信部と、前記並行放送を受信し、受信音声を表すオーディオデータを出力する並行放送受信部と、前記並行放送受信部が出力するオーディオデータの音質を調整し出力する音質調整手段と、前記ラジオ受信部が出力するオーディオデータを、前記ラジオ放送に対する前記並行放送の遅延時間分、遅延して出力する遅延手段と、スピーカと、前記遅延手段が出力するオーディオデータと前記音質調整手段が出力するオーディオデータとのうちの一方を選択的に出力対象オーディオデータとして、出力対象オーディオデータの音声を前記スピーカから出力する選択部とを備えたものである。ただし、前記選択部が前記スピーカから出力する出力対象オーディオデータを、前記遅延手段が出力するオーディオデータから、前記音質調整手段が出力するオーディオデータに切り替える際に、前記ラジオ受信部が受信しているラジオ放送の受信音声の音質が、前記並行放送受信部が受信している並行放送の受信音声の音質より低い場合に、前記音質調整手段は、前記選択部が前記スピーカから出力する前記出力対象オーディオデータが前記音質調整手段が出力するオーディオデータに切り替えられた後に、前記音質調整手段が出力するオーディオデータの音質が、前記ラジオ受信部が受信しているラジオ放送の受信音声の音質相当の音質から前記並行放送受信部が受信している並行放送の受信音声の音質まで、徐々に変化するように、前記並行放送受信部が出力するオーディオデータの音質の調整を行うものである。
【０００８】
ここで、このようなラジオ放送受信装置は、前記選択部が前記スピーカから出力する出力対象オーディオデータを、前記音質調整手段が出力するオーディオデータから前記遅延手段が出力するオーディオデータに切り替える際に、前記ラジオ受信部が受信しているラジオ放送の受信音声の音質が、前記並行放送受信部が受信している並行放送の受信音声の音質より低い場合に、前記音質調整手段において、前記選択部が前記スピーカから出力する出力対象オーディオデータが前記音質調整手段が出力するオーディオデータに切り替わる前に、前記音質調整手段が出力するオーディオデータの音質が、前記並行放送受信部が受信している並行放送の受信音声の音質から前記ラジオ受信部が受信しているラジオ放送の受信音声の音質相当の音質まで、徐々に変化するように、前記並行放送受信部が出力するオーディオデータの音質の調整を行うように構成してもよい。
【０００９】
ここで、以上のラジオ放送受信装置において、前記並行放送は、たとえば、ＩＰラジオ放送であり、前記並行放送受信部は、ＩＰラジオ放送を受信し、受信音声を表すオーディオデータを出力するＩＰラジオプレイヤである。
【００１０】
また、以上のラジオ放送受信装置において、前記ラジオ放送は、デジタルラジオ放送とアナログラジオ放送とのうちの一方または両方であってよい。
また、以上のラジオ放送受信装置は自動車に搭載された車載型のラジオ放送受信装置であってもよい。
以上のように本発明によれば、当該ラジオ放送とサイマル放送の関係にある放送である並行放送とを受信可能なラジオ放送受信装置において、スピーカから出力する音声を、ラジオ放送で受信した音声から並行放送で受信した音声からに切り替える際に、切替後にスピーカから出力する並行放送で受信した音声の音質を、切替時点でラジオ放送で受信した音声の音質相当の音質とした上で、その後、スピーカから出力する並行放送で受信した音声の音質を、本来の音質に徐々に変化させる。
【００１１】
また、スピーカから出力する音声を、並行放送で受信した音声からラジオ放送で受信した音声に切り替える際に、切替前にスピーカから出力する並行放送で受信した音声の音質を、本来の音質から、切替前にラジオ放送で受信した音声の音質相当の音質となるように徐々に変化させる。
【００１２】
よって、スピーカから出力する音声の、ラジオ放送で受信した音声と並行放送で受信した音声との切替によって、切替前後で音声の音質が大きく変化することを抑制して、音質に関してシームレスな切替を行うことができる。
【発明の効果】
【００１３】
以上のように、本発明によれば、受信中の放送から、当該放送と同内容の放送を行っている他の放送との間で、出力する音声を切り替えるラジオ放送受信装置において、音質に関するシームレスな切替を実現することができる。
【図面の簡単な説明】
【００１４】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るシームレス切替処理を示すフローチャートである。
【図４】本発明の実施形態に係るシームレス切替処理の動作例を示す図である。
【発明を実施するための形態】
【００１５】
以下、本発明の実施形態について説明する。
図１に、本実施形態に係るラジオ放送システムの構成を示す。
図示するように、ラジオ放送受信機１は、自動車に搭載されるラジオ放送受信機１やポータブルラジオ放送受信機などの位置が変動するラジオ放送受信機１であり、ラジオ放送局２からＤＡＢ、ＤＡＢ＋などの放送規格によるデジタルラジオ放送や、ＦＭラジオ放送などのアナログラジオ放送の受信を行う。また、ラジオ放送受信機１は、移動通信を介してインターネットなどのＷＡＮ３に接続しＷＡＮ３上のＩＰラジオサーバ４からＩＰラジオ放送を受信する。ここで、ＩＰラジオサーバ４が行うＩＰラジオ放送には、デジタルラジオ放送やアナログラジオ放送とサイマル放送の関係にあるＩＰラジオ放送、すなわち、デジタルラジオ放送やアナログラジオ放送と同内容の放送を行っているＩＰラジオ放送が含まれる。なお、本実施形態では、デジタルラジオ放送やアナログラジオ放送とサイマル放送の関係にあるＩＰラジオ放送から受信される音声は、必ず、当該ＩＰラジオ放送がサイマル放送の関係にあるデジタルラジオ放送やアナログラジオ放送で放送される音声よりも遅延しているものとする。
【００１６】
次に、図２に、ラジオ放送受信機１の構成を示す。
図示するように、ラジオ放送受信機１は、デジタルラジオ放送で放送されている、たとえば、128kbpsのMP3オーディオストリームを受信し、44.1kHz(サンプリングレート)/16bit（量子化ビット数）のオーディオデータを再生、出力するデジタルラジオチューナ１０１、ＦＭラジオ放送を受信しアナログラジオ放送で受信した音声をデジタル変換し、たとえば、96kbpsのMP3オーディオストリーム相当の音質を有する33.075kHz/16bitのオーディオデータを出力するアナログラジオチューナ１０２、ＩＰラジオ放送を受信し受信したオーディオデータを出力するＩＰラジオプレイヤ１０３を備えている。
【００１７】
ここで、ＩＰラジオプレイヤ１０３は、移動通信を行う移動通信装置１０４を介してＷＡＮ３上のＩＰラジオサーバ４に接続し、ＩＰラジオサーバ４がＩＰラジオ放送で配信している、たとえば、256kbpsのMP3オーディオストリームを受信し、44.1kHz/16bitのオーディオデータを再生出力する。ただし、ラジオ放送受信機１に、移動通信装置１０４を備える代わりに、移動通信を行うモバイルフォン５を接続する外部インタフェース１０５を設け、ＩＰラジオプレイヤ１０３において、モバイルフォン５が行う移動通信を介してＷＡＮ３上のＩＰラジオサーバ４に接続し、ＩＰラジオサーバ４がＩＰラジオ放送で配信しているオーディオストリームを受信し再生出力するように構成してもよい。
【００１８】
また、ラジオ放送受信機１は、入力装置１０６、表示装置１０７、制御部１０８を備えている。
また、ラジオ放送受信機１は、デジタルラジオチューナ１０１またはアナログラジオチューナ１０２が出力するオーディオデータを設定された遅延目標時間分、遅延させ出力する遅延部１０９、ＩＰラジオプレイヤ１０３が出力するオーディオデータの音質を調整し出力する音質調整部１１０、遅延部１０９から出力されるオーディオデータと音質調整部１１０が出力するオーディオデータの一方を選択し出力するセレクタ１１１、セレクタ１１１が出力するオーディオデータをアナログ音声信号に変換し出力するＤＡ変換部１１２、ＤＡ変換部１１２が出力するアナログ音声信号を増幅するアンプ１１３、アンプ１１３が増幅した音声信号で駆動され音声を出力するスピーカ１１４を備えている。
【００１９】
また、ラジオ放送受信機１は、チューナ用メモリ１１５、プレイヤ用メモリ１１６、比較部１１７を備えている。
さて、このような構成において、制御部１０８は、入力装置１０６を介してユーザから特定のラジオ放送局２のラジオ放送の受信を指示されると、受信を指示されたラジオ放送局２がデジタルラジオ放送の放送局であれば、デジタルラジオチューナ１０１を現用チューナとし、受信を指示されたラジオ放送局２がＦＭラジオ放送の放送局であればアナログラジオチューナ１０２を現用チューナとし、現用チューナに受信を指示されたラジオ放送局２のラジオ放送の受信と、受信したオーディオデータの出力を開始させる。また、制御部１０８は、チューナ用メモリ１１５とプレイヤ用メモリ１１６の記憶内容をクリアし、遅延部１０９に遅延目標時間として０を設定し、遅延部１０９に現用チューナから入力するオーディオデータを、そのままセレクタ１１１に出力させる。そして、制御部１０８は、セレクタ１１１に遅延部１０９から入力するオーディオデータをＤＡ変換部１１２に出力させることにより、現用チューナで、ユーザから受信を指示されたラジオ放送局２から受信した音声をスピーカ１１４から出力する。
【００２０】
一方、現用チューナから出力されたオーディオデータはチューナ用メモリ１１５にも出力され、チューナ用メモリ１１５に格納される。ここで、チューナ用メモリ１１５へのオーディオデータの格納は、常時、チューナ用メモリ１１５に所定再生時間分の最新のオーディオデータが格納されている状態となるように行われる。また、チューナ用メモリ１１５に常時格納するオーディオデータの再生時間は、ラジオ放送に対する、当該ラジオ放送とサイマル放送の関係にあるＩＰラジオ放送の遅延時間の最大値以上となるように設定されている。
【００２１】
以下、このようなラジオ放送受信機１において制御部１０８は、スピーカ１１４に出力する音声を受信中のラジオ放送で受信した音声と、受信中のラジオ放送とサイマル放送の関係にあるＩＰラジオ放送で受信した音声との間でシームレスに切り替える処理を行う。
【００２２】
以下、このようなシームレスな切替のために、制御部１０８が行うシームレス切替処理について説明する。
図３に、このシームレス切替処理の手順を示す。なお、シームレス切替処理は、ユーザから特定のラジオ放送局２のラジオ放送の受信を指示されたときに起動される。
図示するように、この処理では、ラジオ放送受信機１の状態が、ラジオ放送の音声をスピーカ１１４から出力している状態となるのを待ち（ステップ３０２）、ラジオ放送の音声をスピーカ１１４から出力している状態となったならば、受信しているラジオ放送の音声の音質を算定する（ステップ３０４）。ここで、受信しているラジオ放送の音声の音質の算定は、現用チューナがデジタルラジオチューナ１０１であれば、デジタルラジオチューナ１０１が受信しているMP3オーディオストリームのビットレートをラジオチューナから取得し、取得したビットレート相当の音質を、受信しているラジオ放送の音声の音質として算定し、現用チューナがアナログラジオチューナ１０２であれば、ＦＭラジオ放送の音質である96kbpsのMP3オーディオストリーム相当の音質を、受信しているラジオ放送の音声の音質として算定することにより行う。
【００２３】
また、ラジオ放送の音声をスピーカ１１４から出力している状態となったならば、現用チューナの受信中のラジオ放送の受信品質の劣化を監視する（ステップ３０６）。ここで、現用チューナの受信中のラジオ放送の受信品質の検出は、現用チューナとなっているデジタルラジオチューナ１０１またはアナログチューナにおいて受信中のラジオ放送の受信品質を、受信中のラジオ放送の受信電界強度や、ＳＮ比や、誤り発生率などより算定し、制御部１０８が現用チューナにおいて算定されている受信品質を取得することにより行う。
【００２４】
次に、受信中のラジオ放送の受信品質が劣化したならば、ＩＰラジオプレイヤ１０３の、受信中のラジオ放送とサイマル放送の関係にあるＩＰラジオ放送の受信の開始を制御する（ステップ３０８）。
【００２５】
そして、ＩＰラジオプレイヤ１０３によるＩＰラジオ放送の受信が開始されたならば（ステップ３１０）、ＩＰラジオプレイヤ１０３がＩＰラジオ放送で受信しているオーディオデータの音声の音質を算定する（ステップ３１２）。この音質の算定は、ＩＰラジオプレイヤ１０３が受信しているMP3オーディオストリームのビットレートをＩＰラジオプレイヤ１０３から取得し、取得したビットレート相当の音質を、ＩＰラジオプレイヤ１０３がＩＰラジオ放送で受信しているオーディオデータの音声の音質として算定することにより行う。
【００２６】
また、ＩＰラジオプレイヤ１０３によるＩＰラジオ放送の受信が開始されたならば、受信中のラジオ放送で受信した音声に対する、ＩＰラジオ放送で受信した音声の遅延時間を算出する（ステップ３１４）。
【００２７】
ここで、この遅延時間の算出は次のように行う。
すなわち、制御部１０８は、チューナ用メモリ１１５へのオーディオデータの格納動作を停止することにより、その時点からチューナ用メモリ１１５のオーディオデータの格納内容が変化しないように制御する。
【００２８】
また、制御部１０８は、ＩＰラジオプレイヤ１０３から出力されるＩＰラジオ放送で最初に受信した所定再生時間分のオーディオデータのプレイヤ用メモリ１１６への格納を制御する。
【００２９】
また、制御部１０８は、比較部１１７に、チューナ用メモリ１１５に格納されているオーディオデータと、プレイヤ用メモリ１１６に格納されたオーディオデータとの比較による、チューナ用メモリ１１５に格納されているオーディオデータ中の、プレイヤ用メモリ１１６に格納されたオーディオデータと音声パターンが一致する部分の探索を行わせる。そして、プレイヤ用メモリ１１６に格納されたオーディオデータの受信時刻と、探索されたチューナ用メモリ１１５に格納されたオーディオデータ中の部分の受信時刻との差を遅延時間として算出する。なお、探索されたチューナ用メモリ１１５に格納されたオーディオデータ中の部分の受信時刻は、探索された部分のチューナ用メモリ１１５に格納されたオーディオデータの連続体中の位置より求めることができる。
【００３０】
次に、ステップ３１４で算出した遅延時間を遅延目標時時間として遅延部１０９に設定する（ステップ３１６）。
ここで、遅延目標時間を設定された遅延部１０９は、設定された遅延目標時間と、遅延部１０９に入力するオーディオデータに対する遅延部１０９から出力されるオーディオデータの遅延時間が一致するまで、出力するオーディオデータをタイムストレッチする。すなわち、遅延部１０９は、設定された遅延目標時間が、その時点の遅延部１０９から出力されるオーディオデータの遅延時間より大きい場合には、設定された遅延目標時間と遅延部１０９から出力されるオーディオデータの遅延時間が一致するまで、オーディオデータを当該オーディオデータのピッチを維持したまま時間軸方向に拡大して出力し、設定された遅延目標時間が、その時点の遅延部１０９から出力されるオーディオデータの遅延時間より小さい場合には、設定された遅延目標時間と遅延部１０９から出力されるオーディオデータの遅延時間が一致するまで、オーディオデータを当該オーディオデータのピッチを維持したまま時間軸方向に縮小して出力する。なお、オーディオデータのタイムストレッチは、オーディオデータの時間軸方向の長さが元の長さに対して所定の長さ（たとえば、元の長さの２０％）以上変化しないように行う。
【００３１】
そして、遅延部１０９は、設定された遅延目標時間と遅延部１０９から出力されるオーディオデータの遅延時間が一致したならば、タイムストレッチを停止して通常の再生速度によるオーディオデータの出力に復帰すると共に、遅延時間の一致を制御部１０８に報告する。
【００３２】
一方、制御部１０８は、ステップ３１４で算出した遅延時間（遅延目標時間）と遅延部１０９から出力されるオーディオデータの遅延時間が一致し、遅延時間の一致を遅延部１０９から報告されたならば（ステップ３１８）、ステップ３０４で算定した受信しているラジオ放送の音声の音質と、ステップ３１２で算定した、受信しているＩＰラジオ放送の音声の音質とを比較する（ステップ３２０）。
【００３３】
そして、受信しているＩＰラジオ放送の音声の音質の方がラジオ放送の音声の音質より良好であれば、（ステップ３２０）、ステップ３０４で算定した受信しているラジオ放送の音声の音質相当の音質から、ステップ３１２で算定した、受信しているＩＰラジオ放送の音声の音質まで、出力するオーディオデータの音質を一定期間をかけて徐々に向上する音質調整シーケンスを音質調整部１１０に設定する（ステップ３２２）。一方、受信しているＩＰラジオ放送の音声の音質の方がラジオ放送の音声の音質より良好でなければ（ステップ３２０）、音質調整無しを音質調整部１１０に設定する（ステップ３２４）。
【００３４】
一方、音質調整シーケンスを設定された音質調整部１１０は、設定された音質調整シーケンスに従って、ＩＰラジオプレイヤ１０３から入力するオーディオデータの音質を、受信中のラジオ放送の音声の音質相当の音質まで低下してセレクタ１１１に出力し、その後、徐々にセレクタ１１１に出力するオーディオデータの音質をＩＰラジオ放送のオーディオデータの音質（音質調整無しの音質）まで向上する音質調整を行う。そして、音質をＩＰラジオ放送のオーディオデータの音声の音質まで向上したならば、以降は、ＩＰラジオプレイヤ１０３から入力するオーディオデータを、音質調整すること無しに、そのままセレクタ１１１に出力する。
【００３５】
ここで、音質調整部１１０における音質の調整は、音質を低下させる調整のみであり、この音質を低下させる音質の調整は、たとえば、ＩＰラジオプレイヤ１０３から入力するオーディオデータを音質の低下度合いに応じた比率でダウンサンプリングして出力したり、ＩＰラジオプレイヤ１０３から入力するオーディオデータをローパスフィルタやバンドパスフィルタ等で帯域制限して出力することにより行う。なお、音質を低下させる音質の調整としてどのような調整を行うかは、たとえば、256kbpsのMP3オーディオストリーム相当の音質の44.1kHz/16bitのオーディオデータを96kbpsのMP3オーディオストリーム相当の音質に低下する場合には、44.1kHz/16bitのオーディオデータを33.075kHz/16bitのオーディオデータにダウンサンプリングするといったように、予め、音質調整前後後の音質の組み合わせ毎に予め定めておく。
また、音質調整無しを設定された音質調整部１１０は、ＩＰラジオプレイヤ１０３から入力するオーディオデータを、音質調整すること無しに、そのままセレクタ１１１に出力する。
【００３６】
そして、次に、スピーカ１１４に出力する音声を、ＩＰラジオプレイヤ１０３がＩＰラジオ放送から受信している音声に切り替える（ステップ３２６）。
ここで、この時点で、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、セレクタ１１１の出力するオーディオデータの切替により、スピーカ１１４から出力するオーディオデータが、ラジオ放送で受信したオーディオデータからＩＰラジオプレイヤ１０３が出力するオーディオデータに、シームレスに切り替わる。
【００３７】
また、この切替の直後は、音質調整部１１０は、ＩＰラジオ放送で受信したオーディオデータの音質を、ラジオ放送で受信したオーディオデータの音質相当の音質に調整してセレクタ１１１に出力しているので、セレクタ１１１の出力するオーディオデータの切替により、スピーカ１１４から出力するオーディオデータが、ラジオ放送で受信したオーディオデータからＩＰラジオプレイヤ１０３が出力するオーディオデータに、音質に関してもシームレスに切り替わる。
【００３８】
また、この後、音質調整部１１０は、ＩＰラジオ放送で受信したオーディオデータの音質を、本来の音質まで徐々に向上していくので、切替直後を除き、ユーザ高品質のＩＰラジオのオーディオデータの音声の聴取が妨げられることもない。また、音質の向上を徐々に行うので、当該音質の向上の過程でユーザに違和感を与えることもない。
【００３９】
そして、このようにしてＩＰラジオプレイヤ１０３がＩＰラジオ放送で受信した音声のスピーカ１１４からの出力が開始されたならば、現用チューナの、受信中のラジオ放送の受信品質が良好な受信品質に復帰するのを監視し（ステップ３２８）、受信品質が良好な受信品質に復帰したならば、受信しているＩＰラジオ放送の音声の音質がラジオ放送の音声の音質より良好であるかどうかを調べ（ステップ３３０）、良好でなければ、セレクタ１１１がＤＡ変換部１１２に出力するオーディオデータを遅延部１０９が出力するオーディオデータに切り替えることにより、スピーカ１１４に出力する音声を、現用チューナが受信中のラジオ放送の音声に切り替える（ステップ３３４）。
【００４０】
一方、受信しているＩＰラジオ放送の音声の音質がラジオ放送の音声の音質より良好であれば、音質調整部１１０に、ＩＰラジオプレイヤ１０３から入力するオーディオデータの音質を、受信中のラジオ放送のオーディオデータの音質相当の音質まで徐々に低下してセレクタ１１１に出力する音質調整を行わせた上で（ステップ３３２）、セレクタ１１１がＤＡ変換部１１２に出力するオーディオデータを遅延部１０９が出力するオーディオデータに切り替えることにより、スピーカ１１４に出力する音声を、現用チューナが受信中のラジオ放送の音声に切り替える（ステップ３３４）。
【００４１】
ここで、この時点で、遅延部１０９は、ラジオ放送で受信したオーディオデータに対するＩＰラジオ放送で受信したオーディオデータの遅延時間分、ラジオ放送で受信したオーディオデータを遅延させて出力しているので、セレクタ１１１の出力するオーディオデータの切替により、スピーカ１１４から出力するオーディオデータが、ＩＰラジオプレイヤ１０３が出力するオーディオデータから、ラジオ放送で受信したオーディオデータにシームレスに切り替わる。
【００４２】
また、この切替の前に、音質調整部１１０が出力する、ＩＰラジオ放送で受信したオーディオデータの音質は、ラジオ放送で受信したオーディオデータの音質相当の音質まで徐々に低下しているので、セレクタ１１１の出力するオーディオデータの切替により、スピーカ１１４から音声を出力するオーディオデータが、ＩＰラジオプレイヤ１０３が出力するオーディオデータからラジオ放送で受信したオーディオデータに、音質に関してもシームレスに切り替わる。
【００４３】
そして、チューナ用ダウンサンプリング部の、チューナ用メモリ１１５へのオーディオデータの格納動作を再開させると共に、ＩＰラジオプレイヤ１０３にＩＰラジオ放送の受信を停止させ（ステップ３３６）、ステップ３０６からの処理に戻る。ここで、ＩＰラジオプレイヤ１０３は、ＩＰラジオ放送の受信を停止する際に、移動通信装置１０４またはモバイルフォン５の移動通信を切断する。
【００４４】
以上、制御部１０８が行うシームレス切替処理について説明した。
なお、以上のようなシームレス切替処理は、ユーザから受信中のラジオ放送の受信の終了を指示されると終了する。また、以上のようなシームレス切替処理は、ユーザから新たなラジオ放送局２の受信を指示されたときに再起動される。
【００４５】
以下、このようなシームレス切替処理の処理例について説明する。
いま、所定時間長（たとえば、２ms）の再生時間を単位時間として、図４中の、数字を囲む各四角形は、単位時間分のオーディオデータ、音声を表している。また、「‘」無しの数字を囲む四角形は、現用チューナがラジオ放送（デジタルラジオ放送またはアナログラジオ放送）で受信したオーディオデータ、音声を、「‘」付きの数字を囲む四角形は、ＩＰラジオプレイヤ１０３がＩＰラジオラジオ放送で受信したオーディオデータを表している。また、各四角形中の数字の値が等しい四角形は（たとえば、「４」と「 ４'」）は、同内容のオーディオデータ、音声を表している。また、チューナ用メモリ１１５は、５つの単位時間分のオーディオデータを格納するものとする。
【００４６】
時刻Ｔ０において遅延部１０９に遅延目標時間として０が設定されており、現用チューナがＦＭラジオ放送を受信しているものとして、時刻Ｔ０から時刻Ｔ１までの受信品質が良好な状態で現用チューナがラジオ放送を受信している期間中、セレクタ１１１は、遅延部１０９から出力されるオーディオデータをＤＡ変換部１１２に出力するように設定されており、現用チューナが出力するラジオ放送から受信した音声の96kbpsのMP3オーディオストリーム相当の音質のオーディオデータ（０-３）は、遅延部１０９で遅延されずにセレクタ１１１、ＤＡ変換部１１２、アンプ１１３を介してスピーカ１１４から出力される。また、現用チューナが順次出力するオーディオデータ（０-３）は、チューナ用メモリ１１５に順次格納され、やがて、チューナ用メモリ１１５は、常時、５単位時間長分のオーディオデータが格納されている状態となる。
【００４７】
この状態で、時刻Ｔ１でラジオ放送の受信品質の劣化が検出されると、現用チューナが受信中のラジオ放送とサイマル放送の関係にあるＩＰラジオ放送の受信動作がＩＰラジオプレイヤ１０３において開始される。ここで、このＩＰラジオ放送は、256kbpsのMP3オーディオストリームを放送しているものであるとする。
【００４８】
そして、時刻Ｔ２で、ＩＰラジオ放送で放送されている256kbpsのMP3オーディオストリームの受信が開始される。一方、時刻Ｔ１から時刻Ｔ２の間も、現用チューナがラジオ放送から受信している96kbpsのMP3オーディオストリーム相当の音質のオーディオデータ（４-５）は、遅延部１０９で遅延されずに、セレクタ１１１、ＤＡ変換部１１２、アンプ１１３を介してスピーカ１１４から出力され続けると共に、オーディオデータ（４-５）はチューナ用メモリ１１５に順次格納される。
【００４９】
そして、時刻Ｔ２で、ＩＰラジオ放送の256kbpsのMP3オーディオストリームのオーディオデータの再生出力が開始されると、チューナ用メモリ１１５へのオーディオデータの格納は停止されチューナ用メモリ１１５への記憶内容が凍結される。また、ＩＰラジオ放送で最初に受信したオーディオデータ（４'）がプレイヤ用メモリ１１６に格納される。
【００５０】
そして、時刻Ｔ２-Ｔ３において、比較部１１７による比較による探索により、チューナ用メモリ１１５に格納されているオーディオデータ（１-５）の連続体中から、プレイヤ用メモリ１１６のオーディオデータ（４'）と音声パターンが同じオーディオデータが探索され、探索されたオーディオデータ（４）のチューナ用メモリ１１５に格納されているオーディオデータ（１-５）の連続体中の格納位置より求まる探索されたオーディオデータ（４）の受信時刻より、ラジオ放送で受信したオーディオデータに対するＩＰラジオ放送で受信したオーディオデータの遅延時間が算出される。ここでは、時刻Ｔ２-Ｔ３において、プレイヤ用メモリ１１６のオーディオデータ（４'）とチューナ用メモリ１１５のオーディオデータ（４）とが一致し、２単位時間が遅延時間として算出される。一方、時刻Ｔ２から時刻Ｔ３の間も、現用チューナがラジオ放送から受信している96kbpsのMP3オーディオストリーム相当の音質のオーディオデータ（６-７）は、遅延部１０９で遅延されずにセレクタ１１１、ＤＡ変換部１１２、アンプ１１３を介してスピーカ１１４から出力され続ける
そして、時刻Ｔ３において遅延時間が算出されたならば、算出された遅延時間が遅延目標時間として遅延部１０９に設定される。遅延部１０９は、設定された遅延目標時間が、この時点の遅延時間０より大きいので、現用チューナから入力する96kbpsのMP3オーディオストリーム相当の音質のオーディオデータをピッチを維持したまま時間軸方向に拡大して出力するタイムストレッチを開始する。そして、時間軸方向に拡大したオーディオデータ（８-９）を順次、セレクタ１１１、ＤＡ変換部１１２、アンプ１１３を介してスピーカ１１４から出力する。
【００５１】
そして、時間軸方向に拡大したオーディオデータ（９）の出力を完了した時刻Ｔ４で、遅延部１０９に入力するオーディオデータに対する遅延部１０９から出力するオーディオデータの遅延時間が、設定された遅延目標時間に一致したならば、セレクタ１１１がＤＡ変換部１１２に出力するオーディオデータを、遅延部１０９から出力されるラジオ放送で受信した96kbpsのMP3オーディオストリーム相当の音質のオーディオデータから、音質調整部１１０が出力するＩＰラジオ放送で受信したオーディオデータに切り替えることにより、時刻Ｔ４以降はＩＰラジオプレイヤ１０３がＩＰラジオ放送で受信したオーディオデータを、セレクタ１１１、ＤＡ変換部１１２、アンプ１１３を介してスピーカ１１４から出力する。
【００５２】
一方、時刻Ｔ４以降、音質調整部１１０は、出力するオーディオデータ（１０’-１２'）の音質を、一旦96kbpsのMP3オーディオストリーム相当の音質まで低下させた後、128kbpsのMP3オーディオストリーム相当の音質、256kbpsのMP3オーディオストリーム相当の音質と徐々に向上させていく。
【００５３】
結果、時刻Ｔ４において、スピーカ１１４から出力される音声が、ラジオ放送で受信した96kbpsのMP3オーディオストリーム相当の音質の音声から、96kbpsのMP3オーディオストリーム相当の音質から256kbpsのMP3オーディオストリーム相当の音質に徐々に音質が向上していくＩＰラジオ放送で受信した音声（１０’-１３'）に切り替わることとなる。
【００５４】
ここで、時刻Ｔ４においては、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、スピーカ１１４から出力するオーディオデータが、ラジオ放送で受信したオーディオデータから、音質調整部１１０が出力するＩＰラジオ放送で受信したオーディオデータに、シームレスに切り替わる。
【００５５】
また、この時刻Ｔ４の直後に音質調整部１１０が出力する、ＩＰラジオ放送で受信したオーディオデータ（１０'）の音質は、ラジオ放送で受信したオーディオデータの音質相当の音質である96kbpsのMP3オーディオストリーム相当の音質となっているので、セレクタ１１１の出力するオーディオデータの切替の際にスピーカ１１４から出力される音声に大きな音質変化は発生ぜず、スピーカ１１４から出力するオーディオデータが、ラジオ放送で受信したオーディオデータからＩＰラジオプレイヤ１０３が出力するオーディオデータに、音質に関してもシームレスに切り替わる。また、時刻Ｔ４以降、音質調整部１１０が出力する、ＩＰラジオ放送で受信したオーディオデータ（１０'-１３'）は音質が、96kbpsのMP3オーディオストリーム相当の音質から256kbpsのMP3オーディオストリーム相当の音質に徐々に向上するので、ユーザが音質変化に関して感じる違和感を抑制しつつ、切替直後を除き、256kbpsのMP3オーディオストリーム相当の音質の音声でＩＰラジオ放送で受信した音声を出力することができる。
【００５６】
次に、時間軸方向に拡大したオーディオデータ（９）の出力を完了した時刻Ｔ４で、遅延部１０９のタイムストレッチは停止され、時刻Ｔ４以降は、遅延部１０９からは通常の再生速度で、現用チューナがラジオ放送から受信している96kbpsのMP3オーディオストリーム相当の音質のオーディオデータ（１０-１７）が出力されている。
【００５７】
ここで、遅延部１０９は内部にFIFO型のバッファを備えており、遅延目標時間として０以上の時間が設定されているときには、入力するオーディオデータをバッファに格納しながら、バッファからオーディオデータを取り出して、オーディオデータ（８-９）のようにタイムストレッチして、または、オーディオデータ（１０-１７）のようにタイムストレッチせずに出力する。なお、図中のバッファの太枠の四角形のオーディオデータは、遅延部１０９が出力中のオーディオデータを表している。
【００５８】
次に、ＩＰラジオプレイヤ１０３が出力するオーディオデータ（１３'）のスピーカ１１４への出力が完了した時刻Ｔ５で現用チューナの受信品質が良好な受信品質に復帰すると、音質調整部１１０は、出力するオーディオデータ（１４’-１５'）の音質を、徐々に、ＩＰラジオ放送で受信した256kbpsのMP3オーディオストリーム相当の音質、128kbpsのMP3オーディオストリーム相当の音質、96kbpsのMP3オーディオストリーム相当の音質と低下させていく。
【００５９】
そして、時刻Ｔ６で、音質調整部１１０の出力するオーディオデータの音質が、現用チューナが出力しているオーディオデータの96kbpsのMP3オーディオストリーム相当の音質まで低下したならば、セレクタ１１１がＤＡ変換部１１２に出力するオーディオデータを、音質調整部１１０が出力するＩＰラジオ放送で受信したオーディオデータから、遅延部１０９から出力されるラジオ放送で受信したオーディオデータに切り替える。そして、時刻Ｔ６以降は、現用チューナがラジオ放送から受信し、遅延部１０９でラジオ放送で受信したオーディオデータに対するＩＰラジオ放送で受信したオーディオデータの遅延時間分、遅延された96kbpsのMP3オーディオストリーム相当の音質のオーディオデータ（１６-１７）がセレクタ１１１、ＤＡ変換部１１２、アンプ１１３を介してスピーカ１１４から出力する。
【００６０】
ここで、この時刻Ｔ６においては、遅延部１０９は、ラジオ放送で受信したオーディオデータに対するＩＰラジオ放送で受信したオーディオデータの遅延時間分、ラジオ放送で受信したオーディオデータを遅延させて出力しているので、スピーカ１１４から出力するオーディオデータが、96kbpsのMP3オーディオストリーム相当の音質のＩＰラジオ放送で受信したオーディオデータから、ラジオ放送で受信した96kbpsのMP3オーディオストリーム相当の音質のオーディオデータに、シームレスに切り替わる。
【００６１】
また、この時刻Ｔ６の直前において、音質調整部１１０が出力する、ＩＰラジオ放送で受信したオーディオデータ（１５'）の音質は、ラジオ放送で受信したオーディオデータの音質相当の音質である96kbpsのMP3オーディオストリーム相当の音質となっているので、セレクタ１１１の出力するオーディオデータの切替により、スピーカ１１４から出力される音声に大きな音質変化は発生ぜず、スピーカ１１４から出力するオーディオデータが、ＩＰラジオプレイヤ１０３が出力するオーディオデータからラジオ放送で受信したオーディオデータに、音質に関してもシームレスに切り替わる。また、時刻Ｔ６以前において、音質調整部１１０が行う音質調整は、ＩＰラジオ放送で受信したオーディオデータ（１３'-１５'）の音質を、256kbpsのMP3オーディオストリーム相当の音質から96kbpsのMP3オーディオストリーム相当の音質に徐々に低下していくものであるので、ユーザが音質変化に関して感じる違和感は抑制される。
【００６２】
以上、本発明の実施形態について説明した。
ここで、以上の実施形態に係るラジオ放送受信機１には、ＩＰラジオプレイヤ１０３に代えて、デジタルラジオ放送やアナログラジオ放送とサイマル放送の関係にある、任意の放送方式、放送媒体の放送を受信する受信機を備えるようにしてもよい。なお、この場合には、ＩＰラジオプレイヤ１０３が出得よくするオーディオデータと同様に、ＩＰラジオプレイヤ１０３に代えて備えた受信機の出力するオーディオデータを処理するようにする。
【符号の説明】
【００６３】
１…ラジオ放送受信機、２…ラジオ放送局、３…ＷＡＮ、４…ＩＰラジオサーバ、５…モバイルフォン、１０１…デジタルラジオチューナ、１０２…アナログラジオチューナ、１０３…ＩＰラジオプレイヤ、１０４…移動通信装置、１０５…外部インタフェース、１０６…入力装置、１０７…表示装置、１０８…制御部、１０９…遅延部、１１０…音質調整部、１１１…セレクタ、１１２…ＤＡ変換部、１１３…アンプ、１１４…スピーカ、１１５…チューナ用メモリ、１１６…プレイヤ用メモリ、１１７…比較部。
【図１】
2016208320.tif 000003
【図２】
2016208320.tif 000004
【図３】
2016208320.tif 000005
【図４】
2016208320.tif 000006